(57)【要約】【課題】画像処理装置から出力されるデータを変換した上で特定の情報処理装置に取得させる技術を提供すること。【解決手段】変換装置は、画像処理装置、および、第１情報処理装置にネットワークを介して接続することが可能である。変換装置は、画像処理装置から出力される第１データをネットワークインターフェースを介して取得し、記憶部に記憶させる。変換装置は、ネットワークを介して変換装置にアクセスするために用いられる変換装置アクセス情報を含んだメッセージ情報が第１情報処理装置へ送信されるように、変換装置アクセス情報を出力する。変換装置は、変換装置アクセス情報に基づいて第１情報処理装置から変換装置あてに出力された第１情報を取得したことに応じて、第１データが変換された第２データを、第１情報処理装置にあてて送信する。【選択図】図３
2015103993.tif 000002
【特許請求の範囲】
【請求項１】
画像処理装置、および、第１情報処理装置にネットワークを介して接続することが可能な変換装置であって、
前記変換装置は、プロセッサと、記憶部と、ネットワークインターフェースと、を備えており、
前記プロセッサは、
画像処理装置から出力される第１データを前記ネットワークインターフェースを介して取得し、前記記憶部に記憶させる第１データ取得手段と、
前記ネットワークを介して前記変換装置にアクセスするために用いられる変換装置アクセス情報を含んだメッセージ情報が前記第１情報処理装置へ送信されるように、前記変換装置アクセス情報を前記ネットワークインターフェースに出力させる変換装置アクセス情報出力手段と、
前記変換装置アクセス情報出力手段が前記変換装置アクセス情報を前記ネットワークインターフェースに出力させた後に、前記変換装置アクセス情報に基づいて前記第１情報処理装置から前記変換装置あてに出力された第１情報を、前記ネットワークインターフェースを介して取得したことに応じて、前記第１データが変換された第２データを、前記第１情報処理装置にあてて前記ネットワークインターフェースに送信させる第２データ送信手段と、
して機能可能であることを特徴とする変換装置。
【請求項２】
前記プロセッサは、前記第１情報を前記ネットワークインターフェースを介して取得したことに応じて、前記記憶部に記憶されている前記第１データに対して変換処理を実行して前記第２データを生成するデータ変換手段としてさらに機能可能であり、
前記第２データ送信手段は、前記データ変換手段が生成した第２データを、前記第１情報処理装置にあてて前記ネットワークインターフェースに送信させることを特徴とする請求項１に記載の変換装置。
【請求項３】
前記変換処理には、複数の種類が存在し、
前記変換装置アクセス情報出力手段は、何れの種類の変換処理を実行するかについての選択を受け付けるための第１画面を前記第１情報処理装置の表示部に表示させるために必要な情報を、前記変換装置アクセス情報として、前記ネットワークインターフェースに出力させ、
前記第２データ送信手段は、前記変換装置アクセス情報出力手段が前記変換装置アクセス情報を前記ネットワークインターフェースに出力させた後に、何れの種類の変換処理を実行するかを指示する変換指示情報を、前記ネットワークインターフェースを介して取得したことに応じて、前記変換指示情報によって指示されている変換処理で変換された第２データを、前記第１情報処理装置にあてて前記ネットワークインターフェースに送信させることを特徴とする請求項２に記載の変換装置。
【請求項４】
前記変換装置アクセス情報出力手段は、前記第１画面を表示させる指示の入力を受け付けるための指示受付画面を、前記第１情報処理装置の表示部に表示させるための情報を、前記ネットワークインターフェースに出力させ、
前記プロセッサは、前記変換装置アクセス情報出力手段が前記変換装置アクセス情報を前記ネットワークインターフェースに出力させた後に、前記第１情報処理装置から出力された前記第１画面を表示させる表示指示情報を、前記ネットワークインターフェースを介して取得したことに応じて、前記第１画面を表示させるための第１画面データを前記第１情報処理装置にあてて前記ネットワークインターフェースに送信させる第１画面データ送信手段としてさらに機能可能であることを特徴とする請求項３に記載の変換装置。
【請求項５】
前記変換装置アクセス情報出力手段は、Ｎページ（Ｎは１以上の自然数）の第１データに対して前記変換処理を実行したことに応じてＮ個の第２データのファイルが生成される第１形式の第２データへの変換処理の実行を受け付けるための画像と、Ｎページの第１データに対して前記変換処理を実行したことに応じてＮページを有する１個の第２データのファイルが生成される第２形式の第２データ変換処理の実行を受け付けるための画像が含まれている第１画面を前記第１情報処理装置の表示部に表示させるために必要な情報を、前記変換装置アクセス情報として、前記ネットワークインターフェースに出力させる、ことを特徴とする請求項３に記載の変換装置。
【請求項６】
前記変換装置アクセス情報出力手段は、前記第１データと対応付けて、複数の変換処理のうち、何れかの種類の変換処理を指示する変換処理情報を、前記ネットワークインターフェースを介して取得したことに応じて、前記変換処理情報が指示する種類の変換処理の実行を受け付けるための第１画面を前記第１情報処理装置の表示部に表示させるために必要な情報を、前記変換装置アクセス情報として、前記ネットワークインターフェースに出力させることを特徴とする請求項３に記載の変換装置。
【請求項７】
前記プロセッサは、
前記第１データと対応付けて、前記第１情報処理装置に前記ネットワークを介して各種情報を送信するために用いられる第１アドレス情報を取得する第１アドレス情報取得手段と、
前記第１アドレス情報取得手段が取得した前記第１アドレス情報に基づいて、前記メッセージ情報を前記第１情報処理装置にあてて前記ネットワークインターフェースに送信させるメッセージ情報送信手段と、
してさらに機能可能であることを特徴とする請求項１〜６の何れか１項に記載の変換装置。
【請求項８】
前記変換装置アクセス情報出力手段は、前記変換装置アクセス情報を前記変換装置へあてた前記第１データの送信元である装置にあてて前記ネットワークインターフェースに送信させることで、前記変換装置へあてた前記第１データの送信元である装置に、メッセージ情報を前記第１情報処理装置に向けて送信させることを特徴とする請求項１〜６の何れか１項に記載の変換装置。
【請求項９】
前記変換装置は、前記第１データに基づく画像を表示することが可能な第２情報処理装置にネットワークを介して接続することがさらに可能とされており、
前記第１データ取得手段は、前記画像処理装置から出力され、前記第２情報処理装置を経由することで前記変換装置へあてて送信された前記第１データを取得することを特徴とする請求項１〜８の何れか１項に記載の変換装置。
【請求項１０】
前記プロセッサは、
前記第１データ取得手段が前記第１データを前記第２情報処理装置を経由して取得したことに応じて、前記第２情報処理装置に前記ネットワークを介して各種情報を送信するために用いられる第２アドレス情報を取得する第２アドレス情報取得手段と、
前記記憶部に前記第１データを記憶させた後、第１情報を取得しないまま予め定められた所定期間が経過したことに応じて、前記記憶部に記憶されている前記第１データ、または、前記第２データを、前記第２アドレス情報に基づいて、前記第２情報処理装置にあてて前記ネットワークインターフェースに送信させる第１の送信手段と、
してさらに機能可能であることを特徴とする請求項９に記載の変換装置。
【請求項１１】
前記プロセッサは、前記記憶部に前記第１データを記憶させた後、第１情報を取得しないまま予め定められた所定期間が経過した後に、前記第１データを中継した前記第２情報処理装置からアクセスを行うことを要求する要求情報を前記ネットワークインターフェースを介して取得したことに応じて、前記要求情報に対する応答として、前記記憶部に記憶されている前記第１データ、または、前記第２データを前記第２情報処理装置にあてて前記ネットワークインターフェースに送信させる第２の送信手段としてさらに機能可能であることを特徴とする請求項９に記載の変換装置。
【請求項１２】
前記プロセッサは、
前記第１データと対応付けて、前記第１情報処理装置に前記ネットワークを介して各種情報を送信するために用いられる第１アドレス情報を取得する第１アドレス情報取得手段と、
前記記憶部に前記第１データを記憶させた後、第１情報を取得しないまま予め定められた所定期間が経過したことに応じて、前記記憶部に記憶されている前記第１データ、または、前記第２データを含むメッセージ情報を、前記第１アドレス情報に基づいて、前記第１情報処理装置にあてて前記ネットワークインターフェースに送信させる第２の送信手段と、
してさらに機能可能であることを特徴とする請求項１〜９の何れか１項に記載の変換装置。
【請求項１３】
前記プロセッサは、
前記第１データと対応付けて、変換装置アクセス情報を含む前記メッセージ情報および前記第２データを含むメッセージ情報のうちの何れを前記第１情報処理装置へ送信させるかを指示する送信形態情報を、前記ネットワークインターフェースを介して取得する送信形態情報取得手段と、
前記第２データが前記第１情報処理装置へ送信されるように、前記第２データを前記ネットワークインターフェースに出力させる第２データ出力手段と、
してさらに機能可能であり、
前記送信形態情報取得手段が取得した送信形態情報が前記変換装置アクセス情報を含むメッセージ情報の送信を指示したことに応じてに、前記変換装置アクセス情報出力手段が、前記変換装置アクセス情報を前記ネットワークインターフェースに出力させ、
前記送信形態情報取得手段が取得した送信形態情報が前記第２データを含むメッセージ情報の送信を指示したことに応じてに、前記第２データ出力手段が、前記第２データを前記ネットワークインターフェースに出力させることを特徴とする請求項１〜１２の何れか１項に記載の変換装置。
【請求項１４】
画像処理装置、通信端末装置、および、変換装置にネットワークを介して接続することが可能な情報処理装置であって、
前記情報処理装置は、プロセッサと、記憶部と、ネットワークインターフェースと、を備えており、
前記プロセッサは、
第１データの生成を指示するデータ生成指示情報を前記画像処理装置にあてて前記ネットワークインターフェースに送信させるデータ生成指示送信手段と、
前記画像処理装置で生成された第１データを前記変換装置に記憶させる処理を実行するデータ記憶制御手段と、
前記ネットワークを介して前記変換装置にアクセスするとともに前記第１データが変換された第２データを前記変換装置から取得するために用いられる変換装置アクセス情報と、付帯情報と、を含んだメッセージ情報が、前記通信端末装置へ送信されるように、前記付帯情報を前記ネットワークインターフェースに出力させるメッセージ情報出力手段と、
して機能可能であることを特徴とする情報処理装置。
【請求項１５】
前記データ記憶制御手段は、前記画像処理装置から出力される前記第１データを前記ネットワークインターフェースを介して取得し、取得した第１データを前記変換装置にあてて前記ネットワークインターフェースに送信させることを特徴とする請求項１４に記載の情報処理装置。
【請求項１６】
前記データ記憶制御手段は、前記画像処理装置で生成された第１データを前記変換装置へ送信することを指示するデータ送信指示情報を、前記画像処理装置にあてて前記ネットワークインターフェースに送信させることを特徴とする請求項１４に記載の情報処理装置。
【請求項１７】
通信端末装置、および、変換装置にネットワークを介して接続することが可能な画像処理装置であって、
前記画像処理装置は、プロセッサと、画像処理部と、記憶部と、ネットワークインターフェースと、を備えており、
前記プロセッサは、
前記画像処理部に第１データを生成させるデータ生成手段と、
生成した第１データが前記変換装置に記憶されるように、生成した前記第１データを前記ネットワークインターフェースに出力させるデータ出力手段と、
前記ネットワークを介して前記変換装置にアクセスするために用いられるとともに前記第１データが変換された第２データを前記変換装置から取得するために用いられる変換装置アクセス情報を含んだメッセージ情報が、前記通信端末装置へ送信されるように、変換装置アクセス情報を前記ネットワークインターフェースに出力させる変換装置アクセス情報出力手段と、
して機能可能であることを特徴とする画像処理装置。
【請求項１８】
前記画像処理装置は、前記ネットワークを介して情報処理装置にさらに接続することが可能とされており、
前記変換装置アクセス情報出力手段は、前記データ出力手段が前記第１データを出力した後に、前記変換装置から出力される前記変換装置アクセス情報を前記ネットワークインターフェースを介して取得するとともに、前記情報処理装置が前記メッセージ情報を前記通信端末装置へ送信することができるように、取得した前記変換装置アクセス情報を前記情報処理装置にあてて前記ネットワークインターフェースに送信させることを特徴とする請求項１７に記載の画像処理装置。
【請求項１９】
前記画像処理装置は、前記ネットワークを介して情報処理装置にさらに接続することが可能とされており、
前記変換装置アクセス情報出力手段は、前記通信端末装置に前記ネットワークを介して各種情報を送信するために用いられる第１アドレス情報であって、前記情報処理装置から出力される前記第１アドレス情報を、前記ネットワークインターフェースを介して取得するとともに、前記変換装置が前記メッセージ情報を前記通信端末装置にあてて送信することができるように、取得した前記第１アドレス情報を前記変換装置にあてて前記ネットワークインターフェースに送信させることを特徴とする請求項１７に記載の画像処理装置。
【発明の詳細な説明】
【技術分野】
【０００１】
本明細書では、画像処理装置および情報処理装置とネットワークを介して接続されている変換装置などを開示する。
【背景技術】
【０００２】
特許文献１に記載されている画像処理装置は、ウェブブラウザを内蔵しており、ウェブページをダウンロードして印刷する機能を備えている。また、当該画像処理装置は、原稿をスキャンして生成した画像データを、ＪＰＥＧなどの所定のフォーマットに変換した上で、ウェブサーバに送信する機能を備えている。
【先行技術文献】
【特許文献】
【０００３】
【特許文献１】特開２００８−２２９９９３号公報
【発明の概要】
【発明が解決しようとする課題】
【０００４】
特許文献１に記載されている技術では、受信する装置側に、受信側の都合に拠らず、送信側のタイミングで送信された画像データを随時受信するウェブサーバ機能が必要となる。本明細書では、画像処理装置から出力されるデータを変換した上で特定の情報処理装置に取得させるための、新たな技術を開示する。
【課題を解決するための手段】
【０００５】
本明細書に記載されている変換装置は、画像処理装置、および、第１情報処理装置にネットワークを介して接続することが可能な変換装置であって、変換装置は、プロセッサと、記憶部と、ネットワークインターフェースと、を備えており、プロセッサは、画像処理装置から出力される第１データをネットワークインターフェースを介して取得し、記憶部に記憶させる第１データ取得手段と、ネットワークを介して変換装置にアクセスするために用いられる変換装置アクセス情報を含んだメッセージ情報が第１情報処理装置へ送信されるように、変換装置アクセス情報をネットワークインターフェースに出力させる変換装置アクセス情報出力手段と、変換装置アクセス情報出力手段が変換装置アクセス情報をネットワークインターフェースに出力させた後に、変換装置アクセス情報に基づいて第１情報処理装置から変換装置あてに出力された第１情報を、ネットワークインターフェースを介して取得したことに応じて、第１データが変換された第２データを、第１情報処理装置にあててネットワークインターフェースに送信させる第２データ送信手段と、して機能可能であることを特徴とする。
【０００６】
上記の構成によると、画像データの受信のためだけに第１情報処理装置にウェブサーバ機能を備える必要なく、画像処理装置から出力される第１データが変換された第２データを、第１情報処理装置のタイミングで第１情報処理装置に取得させることができる。
【０００７】
本明細書に記載されている変換装置等によれば、第１データに基づいて各種の第２データを生成することができる。これにより、複数種類の第２データを変換装置の記憶部に記憶しておく必要なく、画像処理装置から出力される第１データが変換された第２データを、第１情報処理装置のタイミングで第１情報処理装置に取得させることが可能となる。
【０００８】
本明細書に記載されている変換装置等によれば、第１情報処理装置側で所望するデータ形式の第２データを、第１情報処理装置のタイミングで第１情報処理装置に取得させることが可能となる。
【０００９】
本明細書に記載されている変換装置等によれば、第１情報処理装置側で所望する変換処理で変換された第２データを、第１情報処理装置のタイミングで第１情報処理装置に取得させることが可能となる。
【００１０】
本明細書に記載されている変換装置等によれば、第１データを、第１形式の第２データおよび第２形式の第２データのうち、第１情報処理装置側で所望する第２データを、第１情報処理装置のタイミングで第１情報処理装置に取得させることが可能となる。
【００１１】
本明細書に記載されている変換装置等によれば、画像処理装置側で予め指示されたデータ形式のうちから、第１情報処理装置側で選択されたデータ形式の第２データを、第１情報処理装置のタイミングで第１情報処理装置に取得させることが可能となる。
【００１２】
本明細書に記載されている変換装置等によれば、画像処理装置側で予め指示された第１アドレス情報を用いて、メッセージ情報を変換サーバから送信することができる。これにより、変換処理後に、画像処理装置側でメッセージ情報を送信する手間を省くことができる。
【００１３】
本明細書に記載されている変換装置等によれば、変換処理後に、画像処理装置側で所望するアドレスにあてて、画像処理装置側で所望する方式のメッセージ情報を送信させることが可能となる。
【００１４】
本明細書に記載されている変換装置等によれば、画像処理装置から出力された第１データを、第２情報処理装置で確認した上で、変換された第２データを、第１情報処理装置のタイミングで第１情報処理装置に取得させることが可能となる。
【００１５】
本明細書に記載されている変換装置等によれば、所定期間を超えて記憶部に記憶されている第１データを、変換装置の記憶部に滞留させず、第２情報処理装置に送信することができる。これにより、第２情報処理装置側のユーザによって、第１データを第１情報処理装置に取得させることが可能となる。
【００１６】
本明細書に記載されている変換装置等によれば、要求情報に対する応答を行う際に、所定期間を超えて記憶部に記憶されている第１データを、変換装置の記憶部に滞留させず、第２情報処理装置に送信することができる。これにより、第１データを変換した第２データを第１情報処理装置に取得させるための行動を、第２情報処理装置側のユーザが再度行うことが可能となる。
【００１７】
本明細書に記載されている変換装置等によれば、所定期間を超えて記憶部に記憶されている第１データを、変換装置の記憶部に滞留させず、第１情報処理装置にメッセージ情報として取得させることが可能となる。
【００１８】
本明細書に記載されている変換装置等によれば、画像処理装置側から予め指示された形式のメッセージ情報に基づいて、第２データを第１情報処理装置に取得させることが可能となる。
【図面の簡単な説明】
【００１９】
【図１】通信システムの構成を示す。
【図２】実施例１において各デバイスが実行する各処理のシーケンス図を示す。
【図３】実施例１において各デバイスが実行する各処理のシーケンス図を示す。
【図４】実施例１において各デバイスが実行する各処理のシーケンス図を示す。
【図５】画像データの記憶制御処理のフローチャートを示す。
【図６】メイン画面の表示例を示す。
【図７】送信メール作成画面の表示例を示す。
【図８】送信メール作成画面の表示例を示す。
【図９】受信メール画面の表示例を示す。
【図１０】ダウンロード画面の表示例を示す。
【図１１】実施例２において各デバイスが実行する各処理のシーケンス図を示す。
【図１２】実施例３において各デバイスが実行する各処理のシーケンス図を示す。
【図１３】受信メール画面の表示例を示す。
【発明を実施するための形態】
【実施例１】
【００２０】
（システムの構成）
図１に示されるように、通信システム２は、多機能機１０と、変換サーバ２００と、受信側ＰＣ３００と、送信側ＰＣ４００と、を備えている。多機能機１０と送信側ＰＣ４００とは、ＬＡＮ４を介して通信可能に接続されている。また、多機能機１０、変換サーバ２００、受信側ＰＣ３００、送信側ＰＣ４００は、インターネット６に接続されていることで、互いに通信可能とされている。
【００２１】
多機能機１０、変換サーバ２００、受信側ＰＣ３００、送信側ＰＣ４００は、例えば、ＨｙｐｅｒＴｅｘｔ  Ｔｒａｎｓｆｅｒ  Ｐｒｏｔｏｃｏｌ（ＨＴＴＰとも記す）又はＨｙｐｅｒＴｅｘｔ  Ｔｒａｎｓｆｅｒ  Ｐｒｏｔｏｃｏｌ  Ｓｅｃｕｒｅ（ＨＴＴＰＳとも記す）による通信を行う。
【００２２】
（多機能機１０の構成）
多機能機１０は、印刷機能、スキャン機能、コピー機能、ＦＡＸ機能等の多機能を実行可能である。多機能機１０は、操作部１２と、表示部１４と、ネットワークインターフェース１６と、印刷実行部１８と、スキャン実行部１９と、制御部２０と、を備える。操作部１２は、複数のキーを備える。ユーザは、操作部１２を操作することによって、様々な指示を多機能機１０に入力することができる。表示部１４は、様々な情報を表示するためのディスプレイである。ネットワークインターフェース１６は、ＬＡＮ４に接続されている。印刷実行部１８は、インクジェット方式、レーザ方式等の印刷機構を備える。スキャン実行部１９は、ＣＣＤ、ＣＩＳ等のスキャン機構を備える。制御部２０は、ＣＰＵ２２と、メモリ２４と、を備える。ＣＰＵ２２は、メモリ２４に格納されているプログラム２５に従って、様々な処理を実行する。メモリ２４は、コンピュータが読み取り可能なストレージ媒体であってよい。コンピュータが読み取り可能なストレージ媒体とは、ＲＯＭ、ＲＡＭ、フラッシュメモリ、ハードディスクなどのnon-transitoryな媒体である。インターネット上のサーバなどからダウンロードされるプログラムを搬送する電気信号は、non-transitoryな媒体には含まれない。
【００２３】
（変換サーバ２００の構成）
変換サーバ２００は、多機能機１０のベンダによって提供されるサーバであってもよい。変換サーバ２００は、ネットワークインターフェース２６２と、制御部２７０と、を備える。制御部２７０は、ＣＰＵ２７２と、メモリ２７４と、を備える。メモリ２７４には、プログラム２７５が記憶されている。ＣＰＵ２７２は、プログラム２７５に従って、様々な処理を実行する。メモリ２７４は、メモリ２４と同様に、コンピュータが読み取り可能なストレージ媒体であってよい。
【００２４】
変換サーバ２００は、各種データに対して、変換処理を実行するためのサーバである。変換処理は、変換サーバ２００にアップロードされたデータのデータ形式を、他のデータ形式を有する変換データに変換する処理である。変換処理で取り扱うことができるデータ形式の一例としては、ＪＰＥＧ、ＰＮＧ、ＰＤＦ、ビットマップ形式、ＴＩＦＦ、テキストデータ形式、ＨＴＭＬ、Rich Text Format（ＲＴＦとも記す）、ワープロソフト形式、表計算ソフト形式、プレゼンテーションソフト形式、などが挙げられる。例えば、ＪＰＥＧ形式からワープロソフト形式へ変換する場合には、Optical Character Reader（ＯＣＲとも記す）機能を用いて文字を識別してもよい。送信側ＰＣ４００がＯＣＲ機能を有さない場合にも、変換サーバ２００でＯＣＲ機能を実行できるため、ユーザにとって利便性が高い。
【００２５】
本明細書における記載上の注意点を説明する。本明細書において、「変換サーバ２００のＣＰＵ２７２が、各種の情報を受信する」という記載は、「変換サーバ２００のＣＰＵ２７２が、ネットワークインターフェース２６２を介して各種の情報を取得する」という技術内容を含んでいるものとする。また、「変換サーバ２００のＣＰＵ２７２が、各種の情報を送信する」という記載は、「変換サーバ２００のＣＰＵ２７２が、ネットワークインターフェース６２を介して各種の情報を出力する」という技術内容を含んでいるものとする。なお、多機能機１０のＣＰＵ２２およびネットワークインターフェース１６や、送信側ＰＣ４００のＣＰＵ４７２およびネットワークインターフェース４８６についても、同様の注意点が存在する。
【００２６】
また、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「情報」は、「データ」としての形式（例えば、テキスト形式、バイナリ形式、フラグ形式等）が異なっていても、同一の意味内容と認識される限り、同一の情報として取り扱われる。例えば、印刷部数が２部であることを示す情報として装置が扱う限り、"COPY=2"というテキスト形式のデータと、"10"というバイナリ形式のデータとは、同じ情報である。但し、上記の「データ」及び「情報」の区別は厳密なものではなく、例外的な取り扱いも許容される。
【００２７】
（送信側ＰＣ４００および受信側ＰＣ３００の構成）
送信側ＰＣ４００の構成を説明する。送信側ＰＣ４００は、ＣＰＵ４７２、メモリ４７４、表示部４８２、操作部４８４、ネットワークインターフェース４８６、ＲＡＭ４９０等を有する。表示部４８２は、様々な情報を表示することができる。操作部４８４は、キーボードやマウスによって構成される。ユーザは、操作部４８４を操作することによって、様々な指示や情報を送信側ＰＣ４００に入力することができる。ネットワークインターフェース４８６は、インターネット６に接続されている。メモリ４７４は、基本プログラム４７５、多機能機制御プログラム４７６、メールプログラム４７７、ウェブブラウザプログラム４７８、を記憶する。基本プログラム４７５は、送信側ＰＣ４００の基本的な動作を制御するためのプログラムである。多機能機制御プログラム４７６は、多機能機１０の各種の機能を送信側ＰＣ４００から制御するためのプログラムである。メールプログラム４７７は、電子メールの送受信や、電子メールの作成を行うためのプログラムである。ウェブブラウザプログラム４７８は、ウェブページを閲覧するためのプログラムである。なお、受信側ＰＣ３００のＣＰＵ３７２〜ＲＡＭ３９０の各々の構成は、送信側ＰＣ４００のＣＰＵ４７２〜ＲＡＭ４９０の各々の構成と同様であるため、詳細な説明は省略する。
【００２８】
（通信システムの動作）
実施例１における通信システム２の動作を、図２〜図４のシーケンス図を用いて説明する。通信システム２の初期状態では、多機能機１０、変換サーバ２００、受信側ＰＣ３００、送信側ＰＣ４００の各々のＣＰＵは、各装置に記憶されているプログラムに従って動作している状態である。これにより、動作操作部やネットワークＩ／Ｆの入力に対応可能になっている。また、多機能機１０と送信側ＰＣ４００との通信は、ＬＡＮ４を介して行われる。変換サーバ２００、受信側ＰＣ３００、送信側ＰＣ４００の間での通信は、インターネット６を介して行われる。
【００２９】
本実施形態の説明例では、送信側ＰＣ４００のユーザがユーザＡであり、受信側ＰＣ３００のユーザがユーザＢである場合を説明する。また、ユーザＡが多機能機１０を用いてスキャン処理を実行して画像データを生成し、生成した画像データを変換した上でユーザＢに送信する場合を説明する。また、スキャン処理において２枚の原稿をスキャンする場合を説明する。
【００３０】
Ｓ１５においてユーザＡは、送信側ＰＣ４００の操作部４８４を操作して、多機能機制御プログラム４７６を起動させる。またユーザＡは、画像データを生成してメールで送信する処理の実行命令を入力する。送信側ＰＣ４００のＣＰＵ４７２は、当該実行命令の入力を受け付けると、Ｓ２０において、表示部１４にメイン画面を表示させる。図６に、メイン画面５００の一例を示す。メイン画面５００は、変換データ送信機能の実行命令の入力を受け付けるための画像である。変換データ送信機能は、変換サーバ２００へ画像データをアップロードして変換データに変換させるとともに、変換データまたは変換データへアクセスするための情報を、所望の送信先へ電子メールを用いて送信する処理を実行する機能である。
【００３１】
メイン画面５００には、ボタン画像Ｂ１〜Ｂ５が表示されている。ボタン画像Ｂ１〜Ｂ４は、送信形態を選択するためのボタン画像である。ボタン画像Ｂ１は、ＵＲＬ送信形態の選択を受け付ける画像である。ＵＲＬ送信形態は、変換データにアクセスするためのＵＲＬを含んだメールを送信先へ送信する形態である。ボタン画像Ｂ２〜Ｂ４は、変換データ送信形態の選択を受け付ける画像である。変換データ送信形態は、変換データが添付されたメールを送信先へ送信する形態である。ボタン画像Ｂ２〜Ｂ４の各々は、ＰＤＦ形式、ＪＰＥＧ形式、ＰＮＧ形式の各々の変換データをメールへ添付する指示の入力を受け付ける画像である。ボタン画像Ｂ５は、多機能機１０にスキャン処理を実行させて、画像データを多機能機１０に生成させる命令を受け付けるためのボタン画像である。
【００３２】
ユーザＡが、ボタン画像Ｂ１〜Ｂ４の何れか１つを選択する操作を実行すると、Ｓ２１においてＣＰＵ４７２は、ユーザＡによる送信形態の選択を受け付ける。またユーザＡが、ボタン画像Ｂ５を選択する操作を実行すると、Ｓ２２においてＣＰＵ４７２は、ユーザＡによるスキャン実行命令の入力を受け付ける。Ｓ２５においてＣＰＵ４７２は、スキャン実行命令情報を、多機能機１０へ送信する。
【００３３】
Ｓ３０において、多機能機１０のＣＰＵ２２は、画像のスキャンを実行する。具体的にはＣＰＵ２２は、多機能機１０の不図示の原稿送り装置にセットされている原稿をスキャン実行部１９に読み取らせ、画像データを作成する。本実施形態の説明例では、前述したように、２枚の原稿をスキャンして、第１および第２画像データを作成する場合を説明する。Ｓ３５においてＣＰＵ２２は、第１および第２画像データを送信側ＰＣ４００へ送信する。
【００３４】
Ｓ３７において、送信側ＰＣ４００のＣＰＵ４７２は、第１および第２画像データを受信する。そして、第１および第２画像データによって形成される画像を、表示部４８２に表示させる。Ｓ４０において、ＣＰＵ４７２は、送信者識別情報、Ｓ３７で受信した第１および第２画像データ、送信形態情報、送信側ＰＣ４００のユーザであるユーザＡのメールアドレス、を変換サーバ２００へ送信する。送信者識別情報は、第１および第２画像データの送信者を識別するための情報である。送信者識別情報の一例としては、ユーザＡのユーザＩＤや、送信側ＰＣ４００のＩＰアドレスなどが挙げられる。送信形態情報は、Ｓ２１においてユーザＡによって選択された送信形態を示す情報である。送信形態情報は、第１および第２画像データと共に送信されているため、第１および第２画像データに対応付けて送信されている状態である。ユーザＡのメールアドレスは、メモリ４７４に予め記憶されていてもよい。そしてＣＰＵ４７２は、メモリ４７４からユーザＡのメールアドレスを読み出して変換サーバ２００へ送信してもよい。
【００３５】
Ｓ４３においてＣＰＵ２７２は、受信した第１および第２画像データを、送信者識別情報、記憶日時情報、画像データ識別情報と対応付けてメモリ２７４に記憶させる。記憶日時情報は、第１および第２画像データを記憶させた日時を示す情報である。画像データ識別情報は、第１および第２画像データを識別するための情報である。画像データ識別情報の一例としては、第１および第２画像データのファイル名が挙げられる。第１および第２画像データに送信者識別情報などを対応付けて記憶する方法の一例としては、メモリ２７４での第１および第２画像データの記憶場所を示すパスを用いる方法が挙げられる。例えば、「\ユーザＡのユーザＩＤ\記憶日時情報\第１画像データのファイル名.bmp」というようなパスを用いて、第１画像データを記憶してもよい。これにより、「\第１画像データのファイル名.bmp」というファイル名で記憶されている第１画像データに、送信者識別情報および記憶日時情報を対応付けることができる。
【００３６】
また第１および第２画像データは、他の何れのデータ形式にも直接に変換することができるようなデータ形式で、メモリ２７４に記憶される。例えば、非圧縮のデータ形式であるビットマップ形式で記憶されてもよい。
【００３７】
Ｓ４５においてＣＰＵは、ユーザＡによって選択された送信形態を判断する。当該判断は、Ｓ４０で受信した送信形態情報に基づいて行われてもよい。ユーザＡによってＵＲＬ送信形態が選択されている場合（Ｓ４５：ＵＲＬ）には、Ｓ５５へ進む。Ｓ５５においてＣＰＵ２７２は、ダウンロード画面データおよびダウンロードＵＲＬを生成する。またＣＰＵ２７２は、生成したダウンロード画面データをメモリ２７４に記憶させる。ダウンロード画面データは、何れの種類の変換処理を実行するかについての選択を受け付けるためのダウンロード画面を表示するためのデータである。ダウンロードＵＲＬは、メモリ２７４に記憶されているダウンロード画面データに、インターネット６を介してアクセスするために用いられる情報である。Ｓ６０においてＣＰＵ２７２は、ダウンロードＵＲＬを送信側ＰＣ４００へ送信する。
【００３８】
Ｓ６５において、送信側ＰＣ４００のＣＰＵ４７２は、メールプログラム４７７を起動する。そして、メールデータを作成するための送信メール作成画面を、表示部４８２に表示させる。図７に、送信メール作成画面５１０の一例を示す。送信メール作成画面５１０の本文作成欄には、Ｓ６０で送信側ＰＣ４００から送信されてきたダウンロードＵＲＬ５１１が、予め表示されている。ダウンロードＵＲＬ５１１は、ハイパーリンク形式で送信メール作成画面５１０に表示されてもよい。
【００３９】
図８に示すように、ユーザＡは、送信メール作成画面５１０を用いて、変換データの送信先メールアドレス５１８やメール本文５１９を入力する。本実施形態の説明例では、送信先メールアドレス５１８として、ユーザＢのメールアドレスが入力される。
【００４０】
ユーザＡが、送信メール作成画面５１０内の送信ボタン画像Ｂ１１を選択すると、Ｓ７０においてＣＰＵ４７２は、送信メール作成画面５１０の入力内容を反映したメールデータを、ユーザＢが使用する受信側ＰＣ３００へ向けて送信する。
【００４１】
Ｓ７３において、受信側ＰＣ３００のＣＰＵ３７２は、メールデータを受信する。ユーザＢが操作部３８４を操作して、メールプログラム３７７を起動させ、受信したメールを開くと、Ｓ７５においてＣＰＵ３７２は、メールデータに基づいて、受信メール画面を表示部３８２に表示させる。
【００４２】
図９に、受信メール画面５２０の一例を示す。受信メール画面５２０には、ダウンロードＵＲＬ５１１が表示されている。すなわち、受信メール画面５２０は、ダウンロード画面を表示させる指示の入力を受け付けるための指示受付画面として機能する。
【００４３】
ユーザＢは、操作部３８４を操作して、ダウンロードＵＲＬ５１１を選択する。選択操作は、例えば、ダウンロードＵＲＬ５１１上にカーソルを合わせてクリックすることによって行われてもよい。ダウンロードＵＲＬ５１１が選択されると、Ｓ８０においてＣＰＵ３７２は、ダウンロード画面データ要求情報を、ダウンロードＵＲＬ５１１で指示されているアクセス先である変換サーバ２００へ送信する。ダウンロード画面データ要求情報は、ダウンロード画面データを受信側ＰＣ３００へ送信することを、アクセス先へ要求するための情報である。
【００４４】
Ｓ８３において、変換サーバ２００のＣＰＵ２７２は、ダウンロード画面データ要求情報によって識別されるダウンロード画面データを、メモリ２７４から読み出す。Ｓ８５においてＣＰＵ２７２は、読み出したダウンロード画面データを受信側ＰＣ３００へ送信する。
【００４５】
Ｓ９０においてＣＰＵ３７２は、ウェブブラウザプログラム３７８を起動する。そして、受信したダウンロード画面データに基づいて、ダウンロード画面をウェブブラウザ上に表示させる。図１０に、ダウンロード画面５３０の一例を示す。ダウンロード画面５３０には、リンク画像５１１〜５１６が表示されている。リンク画像５１１〜５１５は、ダウンロード形態の選択を受け付けるための画像である。リンク画像５１１は、第１および第２画像データを、ＰＤＦ形式に変換してダウンロードするダウンロード形態の実行を受け付けるための画像である。リンク画像５１１が選択された場合には、第１および第２画像データに対して変換処理が実行される。そして、変換処理を実行したことに応じて、２ページを有する１個のＰＤＦ形式の変換データが生成される。なお、変換処理を「実行した」とは、実行を完了したことや、実行を開始したことを含む概念である。リンク画像５１２は、第１画像データをＪＰＥＧ形式に変換してダウンロードするダウンロード形態の実行を受け付けるための画像である。リンク画像５１２が選択された場合には、第１画像データに対して変換処理が実行される。そして、変換処理を実行したことに応じて、１個のＪＰＥＧ形式の変換データが生成される。リンク画像５１３は、第１画像データをＰＮＧ形式に変換してダウンロードするダウンロード形態の実行を受け付けるための画像である。リンク画像５１３が選択された場合には、第１画像データに対して変換処理が実行され、１個のＰＮＧ形式の変換データが生成される。リンク画像５１４および５１５の各々は、第２画像データをＪＰＥＧ形式およびＰＮＧ形式の各々に変換してダウンロードするダウンロード形態の実行を受け付けるための画像である。リンク画像５１６は、変換サーバ２００に記憶されている第１および第２画像データを消去するデータ消去命令を受け付けるための画像である。リンク画像５１１〜５１５は、ハイパーリンク形式で表示されていてもよい。
【００４６】
Ｓ９３においてＣＰＵ３７２は、ユーザＢによるリンク画像の選択を受け付ける。選択操作は、リンク画像５１１〜５１６の何れかの上にカーソルを合わせてクリックすることによって行われてもよい。リンク画像５１１〜５１６のうちの何れか１つが選択されると、Ｓ９５においてＣＰＵ３７２は、ダウンロード形態情報を変換サーバ２００へ送信する。ダウンロード形態情報は、ユーザＢによって選択されたダウンロード形態を示す情報である。
【００４７】
Ｓ１００において、変換サーバ２００のＣＰＵ２７２は、変換データをダウンロードする処理とデータを消去する処理との何れが、ユーザＢによって選択されたかを判断する。当該判断は、Ｓ９５で受信したダウンロード形態情報に基づいて行われてもよい。変換データをダウンロードする処理が選択されている場合（Ｓ１００：ダウンロード）には、Ｓ１０５へ進む。
【００４８】
Ｓ１０５においてＣＰＵ２７２は、ダウンロード形態情報によって識別される画像データを、メモリ２７４から読み出す。そして、読み出した画像データを、ダウンロード形態情報で指示されているデータ形式に変換する、変換処理を実行する。例えば、Ｓ９３においてリンク画像５１１が選択されている場合には、第１および第２画像データがメモリ２７４から読み出されて変換処理が実行され、１個のＰＤＦ形式の変換データが生成される。
【００４９】
Ｓ１１０においてＣＰＵ２７２は、生成された変換データを受信側ＰＣ３００へ送信する。そして、フローが終了する。
【００５０】
一方、Ｓ１００において、ユーザＢによってデータを消去する処理が選択されたと判断される場合（Ｓ１００：消去）には、Ｓ１２０へ進む。Ｓ１２０においてＣＰＵ２７２は、第１および第２画像データを、メモリ２７４から消去する。そして、フローが終了する。
【００５１】
また、図２のＳ４５において、変換データ送信形態がユーザＡによって選択されたと判断される場合（Ｓ４５：変換データ）には、図４のＳ１５５へ進む。Ｓ１５５において、変換サーバ２００のＣＰＵ２７２は、Ｓ４０で受信した第１および第２画像データを、送信形態情報で指示されているデータ形式に変換する、変換処理を実行する。例えば、Ｓ２２においてボタン画像Ｂ３（図６参照）がユーザＡによって選択されている場合には、第１および第２画像データがメモリ２７４から読み出されて変換処理が実行され、ＪＰＥＧ形式の２つの変換データが生成される。
【００５２】
Ｓ１６０においてＣＰＵ２７２は、生成された変換データを送信側ＰＣ４００へ送信する。またＳ１６３においてＣＰＵ２７２は、Ｓ１５５で変換処理を実行した第１および第２画像データを、メモリ２７４から消去する。
【００５３】
送信側ＰＣ４００のＣＰＵ４７２は、Ｓ１６０において変換データを受信すると、Ｓ１６５においてメールプログラム４７７を起動する。そして、メールデータを作成するための送信メール作成画面を、表示部４８２に表示させる。メールデータには、受信した変換データが、デフォルト状態で添付されていてもよい。ユーザＡは、送信メール作成画面５１０を用いて、変換データの送信先メールアドレスやメール本文を入力する。本実施形態の説明例では、送信先メールアドレスとして、ユーザＢのメールアドレスが入力される。
【００５４】
ユーザＡが、送信メール作成画面内の送信ボタン画像を選択すると、Ｓ１７０においてＣＰＵ４７２は、メールデータを、ユーザＢが使用する受信側ＰＣ３００へ向けて送信する。メールデータは、変換データが添付ファイルとして添付されているため、変換データを受信側ＰＣ３００へ送信することができる。そしてフローが終了する。
【００５５】
図５のフローチャートを用いて、変換サーバ２００で行われる、画像データの記憶制御処理を説明する。画像データの記憶制御処理は、変換サーバ２００のメモリ２７４に記憶されている複数の画像データについて、記憶されてから所定期間が経過した画像データをメモリ２７４から消去する処理である。
【００５６】
Ｓ３１０においてＣＰＵ２７２は、記憶制御処理の実行時間が到来したか否かを判断する。実行時間は、変換サーバ２００の管理者等によって予め定められてもよく、例えば毎時０時であってもよい。否定判断される場合（Ｓ３１０：ＮＯ）にはＳ３１０へ戻り、肯定判断される場合（Ｓ３１０：ＹＥＳ）にはＳ３１５へ進む。
【００５７】
Ｓ３１５においてＣＰＵ２７２は、メモリ２７４に記憶されている複数の画像データのうちの１つを、選択画像データとして選択する。
【００５８】
Ｓ３２０においてＣＰＵ２７２は、選択画像データがメモリ２７４に記憶されてから所定期間が経過したか否かを判断する期間確認処理を実行する。所定期間は、変換サーバ２００の管理者等によって予め定められてもよく、例えば１週間であってもよい。Ｓ３２０の判断は、例えば、選択画像データがメモリ２７４に記憶された時を示す記憶日時情報と現在日時との比較によって行われてもよい。記憶日時情報は、例えば、画像データのパスに記載されている情報を用いて特定してもよい。Ｓ３２０において否定判断される場合（Ｓ３２０：ＮＯ）にはＳ３３５へ進み、肯定判断される場合（Ｓ３２０：ＹＥＳ）にはＳ３２５へ進む。
【００５９】
Ｓ３２５においてＣＰＵ２７２は、選択画像データを送信側ＰＣ４００へ送信する。具体的には、Ｓ４０において受信したユーザＡのメールアドレスにあてて、選択画像データが添付された電子メールを送信する。
【００６０】
Ｓ３３０においてＣＰＵ２７２は、選択画像データをメモリ２７４から消去する。Ｓ３３５においてＣＰＵ２７２は、Ｓ３２０の期間確認処理を未実行の画像データがメモリ２７４に残存するか否かを判断する。肯定判断される場合（Ｓ３３５：ＹＥＳ）にはＳ３１５へ戻り、次の画像データに対して期間確認処理が実行される。また、否定判断される場合（Ｓ３３５：ＮＯ）には、Ｓ３１０へ戻る。
【００６１】
（実施例１の効果）
多機能機１０から出力される画像データを変換サーバ２００のメモリ２７４に記憶しておくことが可能となる（Ｓ４３）。また、画像データが変換された変換データを受信側ＰＣ３００に取得させることが可能となる（Ｓ１１０）。従って、受信側ＰＣ３００のユーザＢに、ユーザＢの都合のよいタイミングで変換データを取得させることが可能となる。
【００６２】
画像データを、ビットマップ形式でメモリ２７４に記憶することができる（Ｓ４３）。ビットマップ形式は、他の何れのデータ形式にも直接に変換することが可能なデータ形式である（Ｓ１０５）。従って、変換前のビットマップ形式の画像データのみをメモリ２７４に記憶しておき、変換データのデータ形式を指定するダウンロード形態情報を受信（Ｓ９５）することに応じて変換処理（Ｓ１０５）を行うことで、各種のデータ形式の変換データを生成して受信側ＰＣ３００へ送信することが可能となる（Ｓ１１０）。これにより、複数種類のデータ形式の各々に変換された変換データをメモリ２７４に記憶しておく場合に比して、記憶部に記憶させるデータ量を圧縮することが可能となる。
【００６３】
送信側ＰＣ４００のユーザＡは、ダウンロードＵＲＬを含んだメールデータを、ユーザＢが使用する受信側ＰＣ３００へ送信することができる（Ｓ７０）。ユーザＢは、ダウンロードＵＲＬを用いて、ダウンロード画面を受信側ＰＣ３００に表示させることができる（Ｓ９０）。ダウンロード画面には、ＰＤＦ形式やＪＰＥＧ形式などの各種のデータ形式を選択するためのリンク画像が表示されている（図１０参照）。これにより、何れのデータ形式の変換データを生成するかについての選択を、受信側ＰＣ３００のユーザＢに実行させることが可能となる（Ｓ９３）。またユーザＢに、ユーザＢの都合のよいタイミングでメールを確認させ、変換データのデータ形式を選択させることが可能となる。
【００６４】
多機能機１０から出力（Ｓ３５）される画像データを、送信側ＰＣ４００を介して変換サーバ２００へ送信することができる（Ｓ４０）。これにより、画像データによって形成される画像を、送信側ＰＣ４００で確認することが可能となる（Ｓ３７）。
【００６５】
所定期間を超えて変換サーバ２００のメモリ２７４に記憶されている画像データを、送信側ＰＣ４００に送り返すことができる（Ｓ３２０：ＹＥＳ、Ｓ３２５）。これにより、所定期間を超えて記憶されている画像データを記憶部から消去することが可能となるため（Ｓ３３０）、メモリ２７４に記憶させるデータ量を圧縮することが可能となる。また、所定期間を超えて、画像データが記憶部に滞留してしまうことを防止できる。また、変換データを受信側ＰＣ３００のユーザＢに取得させるための一連の処理を、送信側ＰＣ４００のユーザＡに再度実行させることが可能となる。
【００６６】
ＵＲＬ送信形態と変換データ送信形態との何れの送信形態を使用するかを、送信側ＰＣ４００のユーザＡに選択させることができる（Ｓ２１）。すなわち、ユーザＡ側から予め指示されたメール形式に基づいて、変換データをユーザＢに取得させることができる。これにより、変換データの送信方法の選択の幅を広げることが可能となる。
【実施例２】
【００６７】
実施例２における通信システム２の動作を、図１１のシーケンス図を用いて説明する。なお、図１１のシーケンス図は、実施例１に係る図２のシーケンス図の一部を変更したものである。図１１と図２において同一の符号が付されているステップの内容は、同一であるため、ここでは説明を省略する。
【００６８】
Ｓ２５ａにおいて送信側ＰＣ４００のＣＰＵ４７２は、スキャン実行命令情報に加えて、画像データ送信指示情報および送信形態情報を多機能機１０へ送信する。画像データ送信指示情報は、多機能機１０で生成された画像データを変換サーバ２００へ送信することを、多機能機１０へ指示するための情報である。画像データ送信指示情報は、変換サーバ２００へアクセスするための情報（例：変換サーバ２００のＩＰアドレス）を含んでいてもよい。送信形態情報の内容はＳ４０において説明済みであるため、ここでは説明を省略する。
【００６９】
Ｓ３５ａにおいて多機能機１０のＣＰＵ２２は、画像データ、および、Ｓ２５ａで受信した送信形態情報を変換サーバ２００へ送信する。多機能機１０と変換サーバ２００との間の通信は、インターネット６を介して行われてもよい。Ｓ４５においてＣＰＵ２７２は、Ｓ３５ａによって送信されてきた送信形態情報に基づいて、ユーザＡによって選択された送信形態を判断する。
【００７０】
Ｓ６０ａにおいてＣＰＵ２７２は、ダウンロードＵＲＬを多機能機１０へ送信する。Ｓ６３ａにおいて多機能機１０のＣＰＵ２２は、Ｓ６０ａで受信したダウンロードＵＲＬを送信側ＰＣ４００へ転送する。Ｓ６５以降の動作については、実施例１において説明済みであるため、ここでは説明を省略する。
【００７１】
（実施例２の効果）
実施例２に係る通信システム２の動作では、画像データを多機能機１０から変換サーバ２００へ直接送信することが可能となる（Ｓ３５ａ）。従って、送信側ＰＣ４００が、多機能機１０と変換サーバ２００との間で画像データの中継をする必要がないため、送信側ＰＣ４００の処理負担を低減させることが可能となる。
【００７２】
送信側ＰＣ４００に、ダウンロードＵＲＬを変換サーバ２００から取得させる場合（Ｓ６０）には、インターネット６を介して通信が実行される。この場合、ファイアウォールなどのセキュリティ機能が働いてしまい、ダウンロードＵＲＬの取得が失敗してしまう場合がある。実施例２に係る通信システム２の動作では、送信側ＰＣ４００に、ダウンロードＵＲＬを多機能機１０から取得させることができる（Ｓ６３ａ）。この場合、ＬＡＮ４を介して通信が実行されるため、インターネット６を介して通信する場合に比して、セキュリティ性を高くすることができる。従って、セキュリティ機能が働いてしまう事態を防止できるため、ダウンロードＵＲＬを確実に送信側ＰＣ４００に取得させることが可能となる。
【実施例３】
【００７３】
実施例３における通信システム２の動作を、図１２のシーケンス図を用いて説明する。なお、図１２のシーケンス図は、実施例１に係る図２のシーケンス図の一部を変更したものである。図１２と図２において同一の符号が付されているステップの内容は、同一であるため、ここでは説明を省略する。
【００７４】
Ｓ２３ｂにおいて送信側ＰＣ４００のＣＰＵ４７２は、メールプログラム４７７を起動する。そして、メールデータを作成するための送信メール作成画面を、表示部４８２に表示させる。ユーザＡは、送信メール作成画面５１０を用いて、変換データの送信先メールアドレスやメール本文を入力する。
【００７５】
ユーザＡによってスキャン実行命令が入力されると、Ｓ２５ｂにおいてＣＰＵ４７２は、スキャン実行命令情報、画像データ送信指示情報、メール作成情報、および送信形態情報を、多機能機１０へ送信する。画像データ送信指示情報は、多機能機１０で生成された画像データを変換サーバ２００へ送信することを、多機能機１０へ指示するための情報である。メール作成情報は、メールデータを変換サーバ２００で作成するために必要な各種の情報を含んだ情報である。メール作成情報には、例えば、Ｓ２３ｂにおいて入力が受け付けられた送信先メールアドレスやメール本文を示す情報が含まれていてもよい。
【００７６】
Ｓ３５ｂにおいて多機能機１０のＣＰＵ２２は、画像データ、Ｓ２５ｂで受信した送信形態情報、およびＳ２５ｂで受信したメール作成情報を、変換サーバ２００へ送信する。
【００７７】
Ｓ６３ｂにおいて、変換サーバ２００のＣＰＵ２７２は、メール作成情報に基づいてメールデータを作成する。作成されたメールデータには、Ｓ２３ｂにおいて入力が受け付けられた送信先メールアドレスやメール本文、および、Ｓ５５で生成されたダウンロードＵＲＬが含まれている。Ｓ７０ｂにおいてＣＰＵ２７２は、メールデータを、ユーザＢが使用する受信側ＰＣ３００へ向けて送信する。以降の動作については、実施例１において説明済みであるため、ここでは説明を省略する。
【００７８】
（実施例３の効果）
実施例３に係る通信システム２では、メールデータを変換サーバ２００に作成させ（Ｓ６３ｂ）、作成させたメールデータを変換サーバ２００に受信側ＰＣ３００へ送信させることができる（Ｓ７０ｂ）。これにより、送信側ＰＣ４００のユーザＡがメールデータを受信側ＰＣ３００へ送信する必要がないため、ユーザの利便性を高めることができる。また、ユーザＡが送信メール作成画面を用いてメールアドレス等を入力する操作（Ｓ２３ｂ）を、任意のタイミングで受け付けることが可能となる。従って、ユーザＡによる送信形態の選択の受け付け（Ｓ２１）と、メールアドレス等の入力の受け付け（Ｓ２３ｂ）を、同時期に行うことができるため、ユーザＡが送信側ＰＣ４００を操作する回数を減少させることが可能となる。
【００７９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例が含まれる。
【００８０】
（変形例）
図３のＳ７５において、受信側ＰＣ３００の表示部３８２に表示される受信メール画面に、ダウンロード形態の選択を受け付けるための画像が表示されてもよい。図１３に、受信メール画面５２０ａの一例を示す。受信メール画面５２０ａには、リンク画像５１１ａ〜５１６ａが表示されている。リンク画像５１１ａ〜５１６ａの内容は、図１０を用いて説明したリンク画像５１１〜５１６の内容と同様であるため、ここでは説明を省略する。この形態の実現するために、図２のＳ５５においてＣＰＵ２７２は、リンク画像５１１ａ〜５１６ａを表示させるために用いられるダウンロードＵＲＬを生成するとしてもよい。Ｓ６５においてＣＰＵ４７２は、送信メール作成画面の本文作成欄に、リンク画像５１１ａ〜５１６ａを予め表示させてもよい。また、図３のフローチャートにおいて、Ｓ８０〜Ｓ９０のステップを省略し、Ｓ７５からＳ９３へ進むとしてもよい。Ｓ９３においてユーザＢによるリンク画像の選択が行われると、Ｓ９５においてＣＰＵ３７２は、ダウンロード形態情報を変換サーバ２００へ送信するとしてもよい。これにより、受信側ＰＣ３００において、ウェブブラウザプログラム３７８を起動してダウンロード画面を表示させる処理（Ｓ９０）を省くことが可能となる。ユーザＢがダウンロード画面を表示させる必要がないため、利便性を高めることができる。
【００８１】
図１０のダウンロード画面５３０において、ユーザＡによって指定されたデータ形式でのダウンロードを受け付けるリンク画像のみが表示される形態であってもよい。この形態を実現するために、変換データのデータ形式として使用可能なデータ形式である使用可能データ形式の選択を、ユーザＡに実行させてもよい。使用可能データ形式の選択の受け付けは、Ｓ２１で実行される送信形態の選択の受け付けとともに実行されてもよい。また、送信形態情報に、使用可能データ形式を示す情報を含ませてもよい。Ｓ５５においてＣＰＵ２７２は、使用可能データ形式への変換処理のみを受け付けるためのダウンロード画面を表示するためのダウンロード画面データを、生成してもよい。例えば、使用可能データ形式としてＰＤＦ形式およびＪＰＥＧ形式が選択された場合には、図１０のダウンロード画面５３０において、リンク画像５１１、５１２、５１４および５１６のみが表示されるとしてもよい。これにより、受信側ＰＣ３００のユーザＢに取得させる変換データのデータ形式を、送信側ＰＣ４００のユーザＡが指定することが可能となる。同様にして、図１３の受信メール画面５２０ａにおいて、ユーザＡによって指定されたデータ形式でのダウンロードを受け付けるリンク画像のみが表示される形態であってもよい。この場合、Ｓ５５においてＣＰＵ２７２は、使用可能データ形式への変換処理を受け付けるためのリンク画像を表示させるために用いられるダウンロードＵＲＬのみを、生成するとしてもよい。
【００８２】
Ｓ３２５において、選択画像データを、変換データの送信先である受信側ＰＣ３００へ送信してもよい。この形態を実現するために、受信側ＰＣ３００のユーザＢのメールアドレスを、予め変換サーバ２００に記憶させてもよい。例えば、Ｓ２１で実行される送信形態の選択の受け付けとともに、ユーザＢのメールアドレスの入力を受け付けてもよい。また、送信形態情報に、ユーザＢのメールアドレスを含ませてもよい。Ｓ４３においてＣＰＵ２７２は、ユーザＢのメールアドレスを画像データに対応付けてメモリ２７４に記憶させてもよい。これにより、所定期間を超えて記憶されている画像データを記憶部から消去することが可能となるため（Ｓ３３０）、メモリ２７４に記憶させるデータ量を圧縮することが可能となる。
【００８３】
Ｓ３２５において、送信側ＰＣ４００や受信側ＰＣ３００に送信される選択画像データは、各種のデータであってよく、例えば変換データでもよい。例えば、変換データのデータ形式として使用可能な使用可能データ形式が、ある１つの特定使用可能データ形式に定まっている場合に、Ｓ３２５において変換データを送信してもよい。特定使用可能データ形式が定まっている場合の例としては、使用可能データ形式が１つのみ存在する仕様が採用されている場合や、ユーザＡによって特定使用可能データ形式が指定されている場合が挙げられる。ユーザＡによってＵＲＬ送信形態が選択されている場合（Ｓ４５：ＵＲＬ）には、Ｓ５５に進む前においてＣＰＵ２７２は、Ｓ４３でメモリ２７４に一時的に記憶させた画像データを、特定使用可能データ形式の変換データに変換してもよい。その後、メモリ２７４に一時的に記憶させていた画像データを消去してもよい。Ｓ５５においてＣＰＵ２７２は、ダウンロード画面データおよびダウンロードＵＲＬを生成してもよい。この場合、ダウンロード画面データで表示されるダウンロード画面には、何れのデータ形式への変換処理を実行するかについての選択を受け付けるための画像は表示されなくてもよい。またＳ５５において、ＣＰＵ２７２は、受信メール画面にリンク画像を表示させるために用いられるダウンロードＵＲＬを生成してもよい。この場合、特定使用可能データ形式の画像データをダウンロードする処理の実行を受け付けるリンク画像と、変換サーバ２００に記憶されている変換データを消去する命令を受け付けるためのリンク画像が、受信メール画面に表示されてもよい。なお、「記憶部に、画像処理装置から出力される第１データを記憶させる」という概念は、（１）Ｓ４０において受信した画像データを、Ｓ１０５で変換処理を実行するまでメモリ２７４に記憶させておくこと、および、（２）Ｓ４０において受信した画像データを、Ｓ５５に進む前に特定使用可能データ形式の変換データに変換するために、メモリ２７４に記憶させておくこと、を含む概念である。
【００８４】
Ｓ３２０において、選択画像データがメモリ２７４に記憶されてから所定期間が経過したと判断された場合には（Ｓ３２０：ＹＥＳ）、選択画像データを変換サーバ２００へ送信してきた装置（すなわち送信側ＰＣ４００）からの、変換サーバ２００へのアクセスを待機するとしてもよい。送信側ＰＣ４００からのアクセスの一例としては、アクセスを要求するＨＴＴＰリクエストが挙げられる。送信側ＰＣ４００からのアクセスが行われることに応じて、変換サーバ２００は、選択画像データを送信側ＰＣ４００へ送信してもよい。選択画像データの送信側ＰＣ４００への送信は、例えば、ＨＴＴＰレスポンスとして実行されてもよい。これにより、送信側ＰＣ４００のユーザＡのメールアドレスが不明である場合にも、選択画像データを送信側ＰＣ４００へ送信することが可能となる。また、送信側ＰＣ４００からのアクセス要求に対する応答として、選択画像データを送信側ＰＣ４００へ送信できるため、ファイアウォールなどのセキュリティ機能によって選択画像データの送信が阻害されてしまうことがない。
【００８５】
実施例３の動作において、メールデータを多機能機１０に作成させるとしてもよい。この場合、図１２のＳ５５において、変換サーバ２００のＣＰＵ２７２は、ダウンロードＵＲＬを多機能機１０へ送信すればよい。ダウンロードＵＲＬを受信した多機能機１０は、メールデータを作成し、作成したメールデータを受信側ＰＣ３００へ送信すればよい。これにより、変換サーバ２００の処理負担を低減することが可能となる。
【００８６】
Ｓ９５において変換サーバ２００へ送信されるダウンロード形態情報は、ユーザＢによって選択されたダウンロード形態を示す情報を含んでいる。従ってダウンロード形態情報は、何れのデータ形式への変換処理を実行するかを指示する変換指示情報としての機能と、変換データを変換サーバ２００に要求する要求情報としての機能を備えている。また、ダウンロード形態情報は、ユーザＢによって選択されたダウンロード形態を示す情報を含んでいなくてもよい。この場合、ダウンロード形態情報は、データ形式を指定することなく変換データを変換サーバ２００に要求する情報として機能してもよい。
【００８７】
Ｓ８０において変換サーバ２００へ送信されるダウンロード画面データ要求情報は、変換データを変換サーバ２００に要求する要求情報としての機能を備えていてもよい。
【００８８】
図２のＳ４０、図１１のＳ３５ａ、図１２のＳ３５ｂなどでは、画像データに送信形態情報などの各種情報を対応付ける方法として、画像データと各種情報とを１回の通信で一緒に送受信する方法を用いているが、この方法に限られない。例えば、スキャン実行命令情報が出力（Ｓ２５、Ｓ２５ａ、Ｓ２５ｂ）された後に行われる一連の複数回の通信によって、画像データと各種情報とが送受信される場合に、画像データと各種情報とが対応付けられるとしてもよい。また、各種情報に画像データの識別情報（例：画像データのファイル名）を付加することによって、画像データと各種情報とが対応付けられるとしてもよい。
【００８９】
第１および第２画像データによって形成される画像を表示する処理（Ｓ３７）は、省略することが可能である。以上より、一般的に言うと、変換サーバ２００は、「第１データ取得手段」と、「変換装置アクセス情報出力手段」と、「第２データ送信手段」と、を少なくとも備えていれば良い。具体例としては、変換サーバ２００は、Ｓ４３と、Ｓ６０と、Ｓ１１０とを少なくとも実行すればよい。
【００９０】
本実施例では、スキャン処理において２枚の原稿をスキャンする場合を説明したが、この形態に限られない。１枚または３枚以上の原稿をスキャンする場合においても、本技術の利点が得られる。
【００９１】
複数の多機能機、複数の送信側ＰＣ、複数の受信側が、インターネット６に接続されていてもよい。
【００９２】
画像処理装置の一例として、多機能機１０を挙げたが、これに限らない。指示データなどに基づいて、所定の画像を刺繍、キルティングするミシンでもよい。画像データに基づいた作品、製品を形成するために、飾り縫い、縫製などをおこなうミシンでもよい。指示データなどに基づいて、吹き付け、削りだしなどで、３Ｄ画像を生成する３Ｄプリンタでもよい。画像データなどに基づいて、吹き付け、削りだしなどで、作品、製品を生成する作品製造装置、製品製造装置でもよい。画像データの例として３Ｄ画像データや３ＤＣＡＤデータを用いてもよい。対象物の輪郭を光学的、電気的に検知するセンサからの出力データや、対象物に取り付けたセンサからの出力データに基づいて画像データを作成するスキャナでもよい。センサからの出力に基づいて、対象物の形状や動きを示すデータを作成するスキャナでもよい。画像データの例として動画データや３Ｄ画像データを用いてもよい。
【００９３】
本実施形態では、多機能機１０、変換サーバ２００、受信側ＰＣ３００、送信側ＰＣ４００のＣＰＵ２２、２７２、３７２、４７２がソフトウェアに従って処理を実行する場合を説明したが、この形態に限られない。ソフトウェアに従って実現される機能のうちの少なくとも一部は、論理回路等のハードウェアによって実現されてもよい。
【００９４】
多機能機１０は画像処理装置の一例である。受信側ＰＣ３００は、第１情報処理装置の一例である。インターネット６は、ネットワークの一例である。変換サーバ２００は、変換装置の一例である。ＣＰＵ２２、２７２および４７２は、プロセッサの一例である。メモリ２４、２７４および４７４は、記憶部の一例である。ネットワークインターフェース１６、２６２および４８６は、ネットワークインターフェースの一例である。画像データは、第１データの一例である。Ｓ４０、Ｓ４３を実行するＣＰＵは、第１データ取得手段の一例である。ダウンロードＵＲＬは、変換装置アクセス情報の一例である。メールデータは、メッセージ情報の一例である。Ｓ６０、Ｓ６０ａ、Ｓ７０ｂを実行するＣＰＵは、変換装置アクセス情報出力手段の一例である。ダウンロード形態情報、ダウンロード画面データ要求情報は、第１情報の一例である。変換データは、第２データの一例である。Ｓ１１０を実行するＣＰＵは、第２データ送信手段の一例である。Ｓ１０５を実行するＣＰＵは、データ変換手段の一例である。ダウンロード画面は、第１画面の一例である。ダウンロード形態情報は、変換指示情報の一例である。受信メール画面は、指示受付画面の一例である。ダウンロード画面データ要求情報は、表示指示情報の一例である。ダウンロード画面データは、第１画面データの一例である。Ｓ８５を実行するＣＰＵは、第１画面データ送信手段の一例である。送信形態情報は、変換処理情報の一例である。受信側ＰＣのユーザＢのメールアドレスは、第１アドレス情報の一例である。Ｓ３５ｂを実行するＣＰＵは、第１アドレス情報取得手段の一例である。Ｓ７０ｂを実行するＣＰＵは、メッセージ情報送信手段の一例である。送信側ＰＣ４００は、第２情報処理装置の一例である。送信側ＰＣのユーザＡのメールアドレスは、第２アドレス情報の一例である。Ｓ３２５を実行するＣＰＵは、第１の送信手段の一例である。Ｓ４０を実行するＣＰＵは、送信形態情報取得手段の一例である。Ｓ１６０を実行するＣＰＵは、第２データ出力手段の一例である。Ｓ２５を実行するＣＰＵは、データ生成指示送信手段の一例である。Ｓ４０またはＳ２５またはＳ２５ｂを実行するＣＰＵは、データ記憶制御手段の一例である。メール本文を示す情報は、付帯情報の一例である。Ｓ７０またはＳ２５ｂを実行するＣＰＵは、メッセージ情報出力手段の一例である。Ｓ３０を実行するＣＰＵは、データ生成手段の一例である。Ｓ３５ａまたはＳ３５ｂを実行するＣＰＵは、データ出力手段の一例である。Ｓ６３ａまたはＳ３５ｂを実行するＣＰＵは、変換装置アクセス情報出力手段の一例である。
【符号の説明】
【００９５】
１０：多機能機、２２および２７２および３７２および４７２：ＣＰＵ、２００：変換サーバ、３００：受信側ＰＣ、４００：送信側ＰＣ
【図１】
2015103993.tif 000003
【図２】
2015103993.tif 000004
【図３】
2015103993.tif 000005
【図４】
2015103993.tif 000006
【図５】
2015103993.tif 000007
【図６】
2015103993.tif 000008
【図７】
2015103993.tif 000009
【図８】
2015103993.tif 000010
【図９】
2015103993.tif 000011
【図１０】
2015103993.tif 000012
【図１１】
2015103993.tif 000013
【図１２】
2015103993.tif 000014
【図１３】
2015103993.tif 000015